(57)【要約】【課題】  ロール紙の主走査幅に対して複数サイズの副走査長を選択することが可能な画像形成装置を提供する。【解決手段】  ロール紙を格納できる給紙トレイと、ロール紙カット手段１５と、キーによる操作部と、ＬＣＤ、又はＬＥＤによる操作部表示部１を備えた画像形成装置において、同じ主走査幅であって副走査長が異なることにより区別される定形サイズを、定形サイズ設定手段によって、操作部により同じ幅のロール紙毎に定形サイズを設定し、カットサイズ表示手段１７によって、定形サイズ設定手段１６によって設定した定形サイズを操作部表示部１によりユーザーが随時確認することができることを特徴とする。【選択図】  図１
2005148093.tif 000002
【特許請求の範囲】
【請求項１】
ロール紙を格納できる給紙トレイと、
ロール紙カット手段と、
キーによる操作部と、
ＬＣＤ、又はＬＥＤによる表示部を備えた画像形成装置において、
同じ主走査幅であって副走査長が異なることにより区別される定形サイズを、定形サイズ設定手段によって、操作部により同じ幅のロール紙毎に定形サイズを設定し、
カットサイズ表示手段によって、定形サイズ設定手段によって設定した定形サイズを表示部によりユーザーが随時確認することができることを特徴とする画像形成装置。
【請求項２】
請求項１記載の画像形成装置において、更に原稿を読み取り、この読み取りに応じた画像を出力する画像読み取り手段と、
画像読み取り手段によって読み取った原稿画像を転写紙に転写する転写手段を備えた画像形成装置において、
同じ主走査幅のロール紙をあらかじめ設定した定形副走査長でカットし、排紙することができることを特徴とする画像形成装置。
【請求項３】
請求項１または２記載の画像形成装置において、更に原稿を読み取り、この読み取りに応じた画像を出力する画像読み取り手段と、
画像読み取り手段によって読み取った原稿画像を転写紙に転写する転写手段を備えた画像形成装置の自動用紙選択において、
副走査長自動選択手段によって、同じ幅のロール紙から読み取った原稿の長さ（副走査長）に相当するサイズが定形サイズとして設定されている給紙トレイを自動選択し、定形サイズにロール紙をカットすることができることを特徴とする画像形成装置。
【発明の詳細な説明】
【技術分野】
【０００１】
本発明は、画像を転写紙に転写し、排紙する画像形成装置に関する。
【背景技術】
【０００２】
従来の装置では、ロール紙を定形サイズでカットする場合、ロール紙の主走査幅に対して１サイズの副走査長を想定しており、１サイズの定形サイズしか選択・カットすることができなかった。
【０００３】
しかし、主走査幅が８．５インチのロール紙には、１１インチ、１３インチ、１４インチの３種類の定形サイズがあり、それぞれ副走査長が異なっている。
【０００４】
自動用紙選択にて定形サイズであっても、想定していた１サイズ以外の原稿を読み取らせた場合、不定形サイズとして処理していた。
【０００５】
特許文献１では、記録中の画像の副走査方向の長さを、記録ライン数を介して検出し、何れの定形サイズの画像を記録しているかを検出し、検出された定形紙サイズで記録紙のカットを行う画像通信装置に関する技術が開示されている。
【０００６】
特許文献２では、用紙検知のための煩雑な作業を必要とせず、従来のサイズセンサを用いて、多くの用紙サイズを検知することを可能にする用紙サイズ検知装置に関する技術が開示されている。
【特許文献１】特開平５−２２５１０号公報
【特許文献２】特開平１０−１８１８９１号公報
【発明の開示】
【発明が解決しようとする課題】
【０００７】
本発明では上記事情を鑑みて、定形サイズ設定手段と、カットサイズ表示手段により、同じ主走査幅のロール紙でもユーザーがロール紙毎に定形サイズを設定し、設定した定形サイズを表示することによって、ユーザーがロール紙の主走査幅に対して複数サイズの副走査長を選択することが可能な画像形成装置を提供することを目的とする。
【０００８】
また、設定した定形サイズにてロール紙をカットすることによって、同じ主走査幅のロール紙でもユーザーが設定した定形サイズにて転写紙をカットすることが可能な画像形成装置を提供することを目的とする。
【０００９】
また、給紙トレイに同じ幅のロール紙が複数あっても、読み取った原稿の副走査長に相当するサイズが定形サイズとして設定されている給紙トレイを自動選択し、定形サイズにロール紙をカットすることによって、自動用紙選択にて想定していた１サイズ以外の原稿を読み取らせた場合でも定形サイズとしてカットすることが可能な画像形成装置を提供することを目的とする。
【課題を解決するための手段】
【００１０】
上記目的を達成するため、請求項１に係る発明は、ロール紙を格納できる給紙トレイと、ロール紙カット手段と、キーによる操作部と、ＬＣＤ、又はＬＥＤによる表示部を備えた画像形成装置において、同じ主走査幅であって副走査長が異なることにより区別される定形サイズを、定形サイズ設定手段によって、操作部により同じ幅のロール紙毎に定形サイズを設定し、カットサイズ表示手段によって、定形サイズ設定手段によって設定した定形サイズを表示部によりユーザーが随時確認することができることを特徴とする。
【００１１】
請求項１に係る発明によれば、同じ幅のロール紙に個々の定形サイズを設定し、設定した定形サイズを表示部に表示することができる画像形成装置では、ロール紙毎に定形サイズを設定することができるので、主走査幅１サイズのロール紙から副走査長を変化させることによって複数の定形サイズを設定・選択することができる。
【００１２】
請求項２に係る発明は、請求項１記載の画像形成装置において、更に原稿を読み取り、この読み取りに応じた画像を出力する画像読み取り手段と、画像読み取り手段によって読み取った原稿画像を転写紙に転写する転写手段を備えた画像形成装置において、同じ主走査幅のロール紙をあらかじめ設定した定形副走査長でカットし、排紙することができることを特徴とする。
【００１３】
請求項２に係る発明によれば、請求項１で設定した定形サイズをカットし、排紙することができるができる画像形成装置において、ユーザーがロール紙毎に設定した定形サイズでカットすることができるので、主走査幅１サイズのロール紙から副走査長を変化させることによって複数の定形サイズをカットすることができる。
【００１４】
請求項３に係る発明は、請求項１または２記載の画像形成装置において、更に原稿を読み取り、この読み取りに応じた画像を出力する画像読み取り手段と、画像読み取り手段によって読み取った原稿画像を転写紙に転写する転写手段を備えた画像形成装置の自動用紙選択において、副走査長自動選択手段によって、同じ幅のロール紙から読み取った原稿の長さ（副走査長）に相当するサイズが定形サイズとして設定されている給紙トレイを自動選択し、定形サイズにロール紙をカットすることができることを特徴とする。
【００１５】
請求項３に係る発明によれば、読み取った原稿の長さに相当するサイズのロール紙を、請求項１または２で設定した定形サイズの中から自動選択する画像形成装置では、読み取った原稿の副走査長に相当するサイズが定形サイズとして設定されている給紙トレイを自動選択することができるので、自動用紙選択にて想定していた１サイズ以外の原稿を読み取らせた場合でも定形サイズとしてカットすることができる。
【発明の効果】
【００１６】
本発明によれば、同じ主走査幅のロール紙でもユーザーがロール紙毎に定形サイズを設定し、設定した定形サイズを表示することによって、ユーザーがロール紙の主走査幅に対して複数サイズの副走査長を選択することができる。
【発明を実施するための最良の形態】
【００１７】
以下、本発明を実施するための最良の形態を図面を参照して説明する。
【００１８】
図１は、本実施形態のシステム構成のブロック図である。
【００１９】
操作部表示部１は、ユーザーが複写装置の持つ機能を設定するための、ユーザーインターフェース部である。
【００２０】
読取部２は、原稿給紙部より運ばれてきた原稿を露光し、原稿に書かれている内容を読み取り、画像の濃淡と画像位置の情報をデジタル信号に変換する部分である。
【００２１】
原稿給紙部３は、原稿を読み取り位置に運ぶ装置である。
【００２２】
原稿排紙部４は、読み取りを終えた原稿を排紙する部分である。
【００２３】
給紙部５は、転写紙を給紙ロール、給紙トレイ、手差しトレイから給紙する部分である。
【００２４】
原稿レジスト検知手段６は、原稿の読み取り開始と終了のトリガとなる部分である。
【００２５】
転写紙長検知手段７は、ロール紙カット手段１５でロール紙をカットする際に適切な長さを検知する手段である。
【００２６】
原稿幅検知手段８は、原稿の幅を検知する部分である。
【００２７】
作像部９は、画像処理部１２で処理され、再現された画像を感光体ドラムを媒体にして転写紙にトナー画像として転写する部分である。
【００２８】
定着部１０は、転写紙に乗ったトナーを高い温度と圧力で転写紙に圧着させる部分である。
【００２９】
転写紙排紙部１１では、定着の終えた転写紙を排紙する部分である。
【００３０】
画像処理部１２は、読取部２から送られてくるデジタル信号に対して、より良い画像が再現できるように処理を施す部分である。
【００３１】
原稿画像記憶部１３は、原稿の画像を記憶する部分で画像処理部１２によって処理された画像を記憶する部分である。
【００３２】
原稿セット検知手段１４は、原稿給紙部３に原稿がセットされているかどうかを検知する部分である。
【００３３】
ロール紙カット手段１５は、転写紙としてロール紙が選択された場合に、適切な長さで転写紙を切断する手段である。
【００３４】
定形サイズ設定手段１６は、ロール紙個々に定形サイズを設定することができる手段である。
【００３５】
カットサイズ表示手段１７は、定形サイズ設定手段１６によって設定した定形サイズを操作部表示部１によりユーザーが随時確認することができる手段である。
【００３６】
副走査長自動選択手段１８は、自動用紙選択時、同じ幅のロール紙がセットされていても、読み取った原稿の副走査長に相当するサイズが定形サイズとして設定されている給紙トレイを自動選択することができる手段である。
【００３７】
次に図２のフローチャート、図３の定形サイズ設定画面例、図４の自動用紙選択次画面例を参照しながら、本実施形態の動作処理を説明をする。
【００３８】
まずロール紙を選択し（Ｓ１）、図３の定形サイズ設定画面にて定形サイズを選択・設定する（Ｓ２）。設定した定形サイズに応じてカットサイズの表示を行う（Ｓ３）。このとき設定したロール紙の定形サイズの副走査長は、図４の左下にｍｍサイズの場合、例えば「２９７ｍｍ」、インチサイズの場合「１３”」のように表示される。
【００３９】
次に、自動用紙の選択を行わないとき（Ｓ４でＮＯ）、給紙トレイにセットされているロール紙からロール紙を選択し（Ｓ５）、原稿を読み取らせた後（Ｓ６）、上記にて設定した定形サイズで転写紙をカットし（Ｓ７）、排紙される（Ｓ８）。
【００４０】
一方、ロール紙を選択し（Ｓ１）、図３の定形サイズ設定画面にて定形サイズを選択・設定する（Ｓ２）。設定した定形サイズに応じてカットサイズの表示を行う（Ｓ３）が、自動用紙の選択を行わなうとき（Ｓ４でＹＥＳ）、自動用紙選択にて原稿を読み取らせる（Ｓ９）と、図４に示すように読み取った原稿の副走査長に相当するサイズが定形サイズとして設定されている給紙トレイを自動選択し（Ｓ１０）、定形サイズで転写紙をカットし（Ｓ１１）、排紙される（Ｓ１２）。
【００４１】
例えば、ロール紙１：８  １／２インチ、ロール紙２：８  １／２インチでも、ロール紙１は「８  １／２  ×  １１」、ロール紙２は「８  １／２  ×  １４」とそれぞれ定形サイズを設定することができる。
【００４２】
自動用紙選択の場合、読み取った原稿が８  １／２  ×  １１ならばロール紙１を自動選択し、読み取った原稿が８  １／２  ×  １４ならばロール紙２を自動選択する。
【００４３】
なお、本実施形態は発明を実施する際の好適なものの一例であって、本発明の要旨を変更しない範囲において種々変更することが可能である。
【産業上の利用可能性】
【００４４】
本発明の画像形成装置を搭載した複写機及びプリンターなどの開発が望める。
【図面の簡単な説明】
【００４５】
【図１】本実施形態のシステム構成のブロック図である。
【図２】本実施形態の動作処理のフローチャートである。
【図３】定型サイズ設定画面の一例である。
【図４】自動用紙選択時画面例である。
【符号の説明】
【００４６】
１    操作部表示部
２    読取部
３    原稿給紙部
４    原稿排紙部
５    転写紙給紙部
６    原稿レジスト検知手段
７    転写紙長検知手段
８    原稿幅検知手段
９    作像部
１０    定着部
１１    転写紙排紙部
１２    画像処理部
１３    原稿画像記憶部
１４    原稿セット検知手段
１５    ロール紙カット手段
１６    定型サイズ設定手段
１７    カットサイズ表示手段
１８    副走査長自動選択手段
【図１】
2005148093.tif 000003
【図２】
2005148093.tif 000004
【図３】
2005148093.tif 000005
【図４】
2005148093.tif 000006